(57)【要約】【課題】スーパーや量販店は、夕刻になると売れ残りを鑑みて商品の安売りを行っているがそれは店内だけで行われており、店外まで広く知られることはなかった。  またフリーペーパーのクーポンによって商品やサービスの割引を受けることが可能であるが情報を提示する者にとっては、掲示したい情報が掲示されるまでに時間的な狭間があり、しかも商品やサービスを受ける者にとっては、フリーペーパーを持参しなければならなかった。【解決手段】インターネット上に接続された運営者サーバーと情報登録申込者の情報端末機器あるいは携帯電話と情報閲覧利用者の携帯電話において、情報登録申込者が運営者サーバーに格安情報を登録すると情報閲覧利用者は、求める地域あるいは商品、あるいはサービスによって検索し、ほしい商品あるいはサービスの内容を携帯電話の画面に表示させ、情報登録申込者へ直接提示することで格安情報を受けられるようにした。【選択図】図１
2006024166.tif 000002
【特許請求の範囲】
【請求項１】
インターネットに各々接続される運営者サーバーと、情報掲載申込者のコンピュータあるいは携帯電話と、情報閲覧利用者の携帯電話とからなり、
前記運営者サーバーは、前記情報掲載申込者のコンピュータあるいは携帯電話から登録された格安サービス情報を一定期間保存し、
前記情報閲覧利用者の携帯電話によって前記運営者サーバーへインターネットを通じてつながり、地域や目的によって検索し導き出された格安情報を一覧で前記運営者サーバーから前記情報閲覧利用者の携帯電話に送信し、
前期情報閲覧利用者が見出し一覧の中から特定の見出しを選択すると、格安情報のより詳細な情報が前記運営者サーバーより前期情報閲覧利用者の携帯電話へ送信され、前記情報閲覧利用者の携帯電話に表示される内容を前期情報掲載申込者に直接提示することで前期情報掲載申込者が前記運営者サーバーに登録した格安情報サービスの恩恵を前記情報閲覧利用者が受けることを可能にした格安サービス伝達システム。
【請求項２】
請求項１において、情報掲載申込者に情報閲覧利用者が提示する携帯電話の画面にクーポンを表示させる格安サービス伝達システム。
【請求項３】
請求項１において、インターネット上につながった金融機関のサイトから情報掲載申込者が掲載申し込みと同時に利用料金支払いを可能にした格安サービス伝達システム。
【請求項４】
請求項１において、情報閲覧利用者の携帯電話の代わりにインターネット上につながった情報端末機器とプリンターによって、情報閲覧利用者が選択した情報の印刷物を情報掲載申込者に提示することで情報掲載申込者が運営者サーバーへ登録した格安サービスを享受できる格安サービス伝達システム。
【請求項５】
請求項１において、情報登録申込者の住所を情報閲覧利用者の携帯電話に地図表示する格安サービス伝達システム。
【請求項６】
請求項１において、情報閲覧利用者が希望する情報を運営者サーバーより情報閲覧利用者の携帯電話に電子メールで配信する格安サービス伝達システム。
【請求項７】
請求項１において、情報閲覧利用者が携帯電話の変わりに利用する街頭での情報端末機器において、非接触型ＩＣカードからの情報を受け、情報閲覧者が運用者サーバーにあらかじめ登録しておいた項目の最新情報を情報端末機器に表示する格安サービス伝達システム。
【発明の詳細な説明】
【技術分野】
【０００１】  本発明は、閑散時の顧客誘導、あるいは在庫処理における格安販売を目的とした格安サービス伝達システムに関するものである。
【背景技術】
【０００２】  フリーペーパーによるクーポンを提示することでサービスや商品を割り引いてもらう仕組みが存在する。【０００３】  インターネット上では、在庫処理を行うコンテンツが存在するが多くは企業間の取引であった。またホテルなど宿泊業は、閑散時の宿泊料金を独自に割り引くサービスを個々のホームページによって紹介している。【０００４】  スーパーや量販店では、夕方になれば傷みやすい生鮮食品を店内にて安く販売し、在庫になるのを極力防ごうとしている。
【特許文献１】特開２００４−７８４７１（Ｐ２００４−７８４７１Ａ）号公報
【特許文献２】特開２００２−３５２１３２（Ｐ２００２−３５２１３２Ａ）号公報
【発明の開示】
【発明が解決しようとする課題】
【０００５】  解決しようとする問題点は、個別に展開されている安売り情報を地域別、あるいは商品別、あるいはサービス別で案内することにより、地域に暮らすものだけでなく通学者や通勤者、旅行者まで、もれなく安いサービスや商品を享受できるようにするとともに、情報登録者である商店主や経営者にとっては、閑散時の来店客誘導、あるいは在庫処分へとつながるものである。
【課題を解決するための手段】
【０００６】  本発明は、インターネットに繋がった運営者サーバーと情報登録申込者の情報端末機器あるいは携帯電話と情報閲覧利用者の携帯電話にて、情報登録申込者が運営者サーバーに格安情報を登録すると一定期間保存され、情報閲覧利用者が携帯電話にて運営者サーバーに繋ぎ、地域別、あるいは商品別、あるいはサービス別で検索し、表示されたページを直接、情報登録申込者へ提示することで、情報登録申込者が運営者サーバーへ登録した格安サービスを情報閲覧利用者が受けられるようにしたものである。
【発明の効果】
【０００７】  本発明により、地域住民あるいは通学者や通勤者、あるいは旅行者が求める商品やサービスにおいてまず当発明が提供するコンテンツを利用することにより、格安の商品あるいはサービスを教授することが出来る。一方、商品あるいはサービスを提供する商店主あるいは経営者は、閑散時における賑わいあるいは在庫処理を効果的に行うことが可能となる。
【発明を実施するための最良の形態】
【０００８】  インターネット上にて繋がった運営者サーバーと情報登録申込者の情報端末機器と金融機関サイトと情報閲覧利用者の携帯電話にて
情報登録申込者が金融機関サイトに口座を開き、必要金額を口座内に入金し、運営者サーバーのコンテンツにおける登録フォーマットにて、社名、氏名、住所、情報端末機器のある場所の電話番号あるいは携帯電話番号、情報端末機器が受信する電子メールアドレス、業種を登録すると運営者サーバーでは、登録に利用された情報端末機器あるいは携帯電話のＩＰアドレスを記録し、情報登録申込者へパスワードとＩＤを送信する。
再度、登録時と同一の情報端末機器にて情報登録依頼者が運営者サーバーへアクセスし、ＩＤとパスワードによって、情報登録依頼者を運営者サーバーが認識すれば、情報登録フォーマットが情報登録依頼者の端末機器に表示され、情報登録依頼者が格安情報の必要情報を書き込み、送信すると金融機関サイトが情報登録依頼者の情報端末機器に表示され、料金の支払いを行うと格安情報の必要情報が運営者サーバーへ保存される。
運営者サーバーでは、料金の支払いが確認された後、情報登録申込者が指定した日時に情報登録申込者が登録した情報を運営者サーバーのコンテンツに公開する。
情報閲覧利用者は、携帯電話を通じて運営者サーバーに繋がり、地域を指定し、求める商品あるいはサービスを検索し、ほしい情報があれば、その情報を携帯電話の画面に表示させ、情報登録申込者へ提示することで情報登録申込者が運営者サーバーへ登録した格安情報の恩恵を受けることが出来る。
【実施例１】
【０００９】  図１は、インターネット上に繋がったビジネスの流れを示している。【００１０】  図２は、情報閲覧利用者の携帯電話内に表示される画面例である。【００１１】  図３は、情報登録申込者が自ら登録せず、ファックスなどで登録依頼を行った場合の流れ図を通常の流れと比較したものである。
【産業上の利用可能性】
【００１２】  当発明は、スーパーや量販店の格安販売からホテルなどの宿泊施設、飲食店、カラオケ店、映画館、理美容店、ネイルサロン、マッサージ店など様々な業種の閑散時対策を可能にする。
【図面の簡単な説明】
【００１３】
【図１】ビジネスの流れ図
【図２】情報閲覧利用者の携帯電話画面
【図３】ビジネスの流れ図−情報書き込み依頼の場合
【符号の説明】
【００１４】１００      インターネット網
２００      運営者サーバー
３００      情報登録依頼者の情報端末機器あるいは携帯電話
４００      情報閲覧利用者の携帯電話
４０１−ａ  情報閲覧利用者の携帯電話における詳細表示
４０１−ｂ  格安情報関連写真
４０１−ｃ  格安情報見出し文章
４０１−ｄ  格安情報内容文章
４０１−ｅ  情報閲覧利用者の携帯電話における詳細表示の続き
４０１−ｆ  クーポン画像
４０１−ｇ  ご利用条件
４０１−ｈ  格安情報提供地図
５００      金融機関サイト
６０１      口座開設・入金
６０２      基本情報登録
６０３      ＩＤ・パスワード送付
６０４      格安情報登録
６０５−ａ  振込
６０５−ｂ  残高不足知らせ
６０６      入金確認
６０７      情報閲覧・検索
６０８      情報表示
６０９      情報提示・確認
６１０      商品・サービス提供
【図１】
2006024166.tif 000003
【図２】
2006024166.tif 000004
【図３】
2006024166.tif 000005